Podtech/llm-jp-corpus-v4-ja_patent huggingface dataset:
(57)【要約】【課題】  洗濯槽に固定した、糸くず取りフィルターにたまった糸くずを取るのは、一苦労だ。ドラム式洗濯乾燥機などで洗濯をすると、排水口に糸くずが多量にたまる。洗濯槽や排水ホースに装着して、糸くずを取り除き、その掃除も簡単なフィルターを提供する。【解決手段】  化学せんいが素材の、細かい網目の生地で袋状のものを作り、さらにその内部に簡易型の薄い糸くずフィルターを装着する。それを洗濯槽の中や、ドラム式洗濯乾燥機の排水ホースに装着し、糸くずを取り除き、内側のフィルターを使い捨てできることを特徴とする。【選択図】図１
0003135702.tif 000002
【実用新案登録請求の範囲】
【請求項１】
薄い袋状のフィルターをその内側に装着し、洗濯後、内側に装着した薄いフィルターを取り出して使い捨てにできる、洗濯機用、袋状の糸くず取りフィルター。
【考案の詳細な説明】
【技術分野】
【０００１】  この考案は、化学せんいで作った細かい網目の袋状のフィルターの内側に、混合せんい（たとえばポリエチレンとポリプロピレンとポリエステル等）で作ったお茶パックに使うような袋状の簡易型のフィルター（以後、簡易フィルターと称す）を装着して、洗濯槽や洗濯排水に含まれる糸くずを取り除き、洗濯後は簡易フィルターを使い捨てできる、糸くず取りフィルターに関するものである。
【背景技術】
【０００２】  従来、洗濯槽の中に固定する糸くず取りフィルターは、化学せんいで網目状に編まれた１枚のネットを袋状にしたものであった。【０００３】  また、ドラム式洗濯乾燥機はドラム内部に平らな糸くずフィルターが付いており、さらに、オプションで、外付けの糸くずフィルター装置がある。
【考案の開示】
【考案が解決しようとする課題】
【０００４】  洗濯槽の中に固定した、糸くず取りフィルターにたまった糸くずを取る時、ネットを裏返して指で糸くずを全て取るのは、一苦労であり、爪でネットが破れてしまうこともある。【０００５】  ドラム式洗濯乾燥機の糸くずフィルターは、洗濯機のドラムの中に装着されているため、ドラムの下部で糸くずを捕まえても、ドラムの上部に来た時、フィルターから糸くずが逃げていっているようだ。
また、外付けの糸くずフィルター装置は、その中に入っているフィルターの目が大きすぎて、半分くらいの糸くずが通りすぎている。それらの理由で、排水口に糸くずが多量にたまる。
【課題を解決するための手段】
【０００６】  まず、化学せんいが素材の細かい網目の生地で、袋状の糸くずフィルターを作り、さらにその内部に簡易型の糸くずフィルターを装着する。それを洗濯槽の中に固定し、糸くずを集める。【０００７】  ドラム式洗濯乾燥機の場合は、排水ホースの出口に固定したり、そこへもう１本の排水ホースをつないで、糸くずフィルターを装着する。
【考案の効果】
【０００８】  洗濯槽の中に固定した糸くずフィルターにたまった糸くずを取る時は、ほとんど手を汚すことなく、気軽に、ネットにたまった糸くずを簡易フィルターごと捨てることができる。
ドラム式洗濯乾燥機の排水ホースに取り付けた場合は、糸くずフィルターの中に、ほぼ全部、糸くずが残り、排水口に糸くずがたまらない。糸くずフィルターにたまった糸くずを取る時は、洗濯槽の中に固定した糸くずフィルターを掃除する時と同様に、気軽に簡易フィルターごと糸くずを捨てられる。
【考案を実施するための最良の形態】
【０００９】  以下、本考案の実施の形態を図面に基づき詳細に説明する。【００１０】  図１は〜図４は、本考案の実施の形態に係り、図１は、本考案の正面図。図２は、本考案を洗濯槽において実施した時の斜視図。図３は、本考案を排水ホースにおいて実施した時の側面図、図４も排水ホースにおける別の実施時の側面図である。【００１１】  図１のように化学せんいが素材の、細かい網目の生地と２本のひも１で巾ちゃく袋のフィルター３を作る。この巾ちゃく袋のフィルター３の中に、水や洗剤のみ通す、同じくらいの大きさの簡易フィルター２を入れる。【００１２】  そして、図２のように、この２枚重ねのフィルター２と３を、小さなプラスチック製の留め具４で４カ所留める。さらに２本のひも１のうちの１本を吸盤５につなぎ、洗濯槽の水面６にフィルター２と３が、うまく来るように吸盤５を固定する。【００１３】  また、ドラム式洗濯乾燥機の場合は、図３のように、巾ちゃく袋のフィルター３に、同じくらいの大きさの簡易フィルター２を入れたものを、排水ホース７の出口部分にひも１をくくって固定する。この時、排水ホース７の出口のプラスチックの外側に簡易フィルター２がきて、その外側に巾ちゃく袋のフィルター３がきて、そこをひも１でくくって固定する。【００１４】  なお、洗濯機から排出される排水が、排水ホース７に装着されたフィルター２と３へかかる圧力を弱めるために、排水ホース７の長さは、通常の１．５倍が良い。【００１５】  これ以外に図４のように、巾ちゃく袋のフィルター３の中に、同じくらいの大きさの簡易フィルター２を入れたものを、排水ホース８の出口の反対の口部分に挿入し、ひも１をくくって排水ホース８に固定する。そこへ、洗濯機からつながる排水ホース９の出口部分を差し込んでつなぐ装着方法もある。
【図面の簡単な説明】
【００１６】
【図１】  本考案の正面図
【図２】  本考案を洗濯槽で使った時の斜視図
【図３】  本考案を排水ホースに取り付けた時の側面図
【図４】  本考案を排水ホースどうしの連結部に取り付けた時の側面図
【符号の説明】
【００１７】          １  ひも
２  簡易フィルター
３  巾ちゃく袋のフィルター
４  小さなプラスチック製の留め具
５  吸盤
６  洗濯槽の水面
７  排水ホース
８  排水ホース
９  排水ホース
【図１】
0003135702.tif 000003
【図２】
0003135702.tif 000004
【図３】
0003135702.tif 000005
【図４】
0003135702.tif 000006
(57)【要約】【課題】幼児の歯磨きに対する怠け心や抵抗感をなくしながら、家族のコミュニケーションツールとしての役割も有する歯ブラシを提供する。【解決手段】２本の歯ブラシの柄の一端を伸縮性のあるコードで連結させ、二人一緒にこの歯ブラシを使用することによって、相手と繋がっているという安心感を持ちつつ、玩具感覚で幼児自らが歯ブラシに手を伸ばそうとすることで、歯磨きを楽しみながら習慣づけていくことが可能になる。そして家庭円満標語や身近な英語が記載されているプレートを取り付け可能とすることで、相手との絆がより深まり、歯磨きの時間を有効利用できることを特徴とする。【選択図】図１
0003135708.tif 000002
【実用新案登録請求の範囲】
【請求項１】
２本の歯ブラシの柄の端部分を、伸縮性のあるコードで連結させ、二人一緒にこの歯ブラシを使用することによって、近年問題視されている希薄な人間関係を向上させ、より多くのコミュニケーションがとれるようになることを特徴とする家庭円満歯ブラシ。
【請求項２】
歯ブラシの柄の部分に、取り外し可能なプレート部（身近な外国語や家庭円満標語などを記載できる）を設けたことを特徴とする、請求項１記載の家庭円満歯ブラシ。
【考案の詳細な説明】
【技術分野】
【０００１】この考案は、２本の歯ブラシの柄の一端を繋げ、二人一緒に、繋がっている歯ブラシを使用することによって互いに連帯感をはぐくみながら、なおかつ身近な英語や家庭円満標語などを記載することによって、より家庭内でのコミュニケーションをはかって頂くという家庭円満をめざす歯ブラシである。
【背景技術】
【０００２】（イ）従来の歯ブラシ（図３）は単体で使うものだったため、幼い子供は歯を磨きたがらなかった。
（ロ）最近の日本人は挨拶の大切さや感謝の気持ちを持つことを忘れがちだった。
（ハ）日本人は外国語を身近に感じる人が少ない。
【考案の開示】
【考案が解決しようとする課題】
【０００３】これは次のような問題点があった。
（イ）幼児は歯磨きに対して、怠け心や抵抗感があるため、歯磨きさせるのに大変な手間と時間がかかってしまう。
（ロ）機能だけが追求され、人間の感情を豊かなものにしていない。
（ハ）うつ病や自殺者が年々増えて続けている昨今、こういう時代だからこそ、家族間の距離やつながりが必要である。
（ニ）歯を磨く時間を有効活用していない。
（ホ）日本は先進国にも関わらず、英語の勉強を始めるのが遅すぎたため、英語に対して消極的な人が多い。
本考案はこのような欠点をなくすためになされたものである。
【課題を解決するための手段】
【０００４】（イ）２本の歯ブラシの柄の端部分に穴（４）を設け、伸縮性のあるコード（５）で２つの穴を連結させる。
（ロ）さまざまな文字が記載されているプレートを準備することで、歯ブラシの柄の部分に、その時々のシチュエーションにあったプレートを付け替えることができ、さらに、付けたプレートによってより持ちやすくなる。
（ハ）プレート（３）の裏側に接着可能なテープをはることで、歯ブラシにプレートを固定できるようにする。
本考案は、以上の構成よりなる家庭円満歯ブラシである。
【考案の効果】
【０００５】（イ）歯ブラシに、子供に教えたい身近な英単語や家庭円満標語が記載されていることによって、歯を磨きながらでも簡単に英単語を記憶することが可能になり、親の愛情を再確認できる。
（ロ）プレートの取り外しが可能になることで、さまざまな語彙を覚えるようになり、歯磨きの時間を有効活用することができる。
（ハ）ほかの誰かと繋がっているという安心感から、幼児が以前よりも歯磨きに対して抵抗感がなくなり、親子、夫婦間の会話も増え、また、コードを互いに引っ張りあったりすることで、より良いコミュニケーションがとれるようになる。
【考案を実施するための最良の形態】
【０００６】以下、本考案を実施するための最良の形態について説明する。
（イ）２本の歯ブラシの柄の端部分の穴（４）に、伸縮性のあるコード（５）を連結させることで、２本の歯ブラシを繋がっている状態にする。
（ロ）さまざまなプレート（３）を準備することで、歯ブラシの柄の部分にその時々のシチュエーションにあったプレートを付け替えることが可能になり、さらにプレートを付けることで、持ちやすさも向上する。
（ハ）プレート（３）の裏側に接着可能なテープを使用することで、歯ブラシの柄にプレートを固定できるようにする。
本考案は以上のような構造である。
プレートを取り替えるときは、歯ブラシの柄を持ってプレート部分をはがせばよい。
【実施例】
【０００７】（イ）歯ブラシの柄にペットの名前や感謝の言葉、英単語などが記載されたプレートをはると、自然とその言葉を口ずさみたくなり、家族みんなでその言葉を繰り返し唱えることで家庭円満に近づくことができる。
そして、また別の言葉を子供に覚えてほしくなったら、さらに別のプレートに取り替え、皆で楽しみながら親子の関係をよくすることができる。
（ロ）伸縮性のコードを親子、家族間で引っ張りあうことで、子供が疎外感に悩まされることなく、コミュニケーションをとれるようになるきっかけになる。
【図面の簡単な説明】
【０００８】
【図１】  本考案の「家庭円満歯ブラシ」のブラシ部を上に向けて置いた図である。
【図２】  本考案の「家庭円満歯ブラシ（親子用）」を横にねかせた図である。
【図３】  市販されている従来の一般的な歯ブラシである。
【図４】  接着前のプレート部の正面図である。
【図５】  プレート接着前の本考案「家庭円満歯ブラシ」のブラシ部を上に向けて置いた図である。
【図６】  プレート接着前の本考案「家庭円満歯ブラシ（親子用）」を横にねかせた図である。
【符号の説明】
【０００９】    １    ブラシ部
２    柄部
３    プレート部
４    穴
５    伸縮性のあるコード
【図１】
0003135708.tif 000003
【図２】
0003135708.tif 000004
【図３】
0003135708.tif 000005
【図４】
0003135708.tif 000006
【図５】
0003135708.tif 000007
【図６】
0003135708.tif 000008
(57)【要約】【課題】  小さくなった野菜を安全にかつ無駄なく調理する野菜おろし補助具を提供する。【解決手段】  小さくなった野菜に取り付けて、取手を持って調理するため、指先をおろし金で傷つけることなく、またでん粉で形成されているため、野菜がなくなるまですりおろす事ができる。でん粉は無味無臭であり、野菜と共にすりおろして食しても弊害はない。【選択図】図１
0003135706.tif 000002
【実用新案登録請求の範囲】
【請求項１】
小さくなった野菜等をすりおろす際に使用する、野菜を固定する刃を有し、でん粉で形成された事を特徴とするすりおろし補助具。
【請求項２】
タンパク質化合物で形成された事を特徴とする、前述のすりおろし補助具。
【考案の詳細な説明】
【技術分野】
【０００１】  本発明は、にんにくなど小さな野菜または小さくなった大根などの野菜をおろし金でおろす場合に使用する補助具に関するものである。
【背景技術】
【０００２】  野菜をおろす場合、通常は野菜を手で持ち、おろし金という多数の穴が開いた板状の道具に押しつけながら、手で野菜を前後に動かすことで、おろし金の表面にある鋭利な突起によっておろし野菜を作っていた。
【考案の開示】
【考案が解決しようとする課題】
【０００３】  従来の野菜を手に持つ方法では、野菜がおろされて小さくなるにつれ、野菜を持った指先が、おろし金の突起に当たって指先を痛める危険があった。このため、野菜を持ち代えながらおろし作業を続け、ある程度小さくなった野菜は、捨ててしまう結果になっていた。また、野菜が小さくなってつかみにくくなると、野菜を持つ手の疲労も大きくなるという問題があった。【０００４】  野菜を容器に入れてセットするだけですりおろし、せん切り等の調理が可能な機械を使用しても、小さくなった野菜は残り、捨ててしまわなければならないという問題があった。
【課題を解決するための手段】
【０００５】  本考案は、野菜おろし補助具に野菜を固定し、野菜おろし補助具の握り部を持つことで、直接野菜を持たずにすむようにする。そのため、おろし金の刃が当たるまで続けることができるようにし、指先を傷つける危険をなくし、かつ、手で持てないほど小さくなった野菜も、おろすことができるようにする。
【考案の効果】
【０００６】  該補助具はでん粉で形成されている。でん粉は無味無臭であるため、野菜とともにすりおろして食したとしても無害であり、野菜の味を変える事は無い。でん粉は水溶性であるため、１度きりの使用になるが、廃棄する際も無害であるため、通常の可燃ごみとして処理する事ができる。【０００７】  また、請求項２に係るタンパク質化合物も無味無臭であり、前述と同様の効果が得られる。【０００８】  取手を持つことにより手の疲労も抑える事ができる。
【実施例】
【０００９】  図１は本考案の斜視図である。３ｍｍ程度の野菜固定刃２を野菜に押し付け固定し、取手３を持って調理を行うことで直接野菜に触れることなく作業ができる。また３枚の取手により持ちやすく、指先の疲労度も減少する。補助具土台４は調理する野菜の大きさによって異なるが、直径１〜５ｃｍ程度が望ましい。厚さは３ｍｍほどである。
【図面の簡単な説明】
【００１０】
【図１】本考案の斜視図である
【図２】本考案の側面図である。
【図３】本考案を取手３方向より見た図である。
【符号の説明】
【００１１】    １  本考案のすりおろし補助具
２  野菜固定刃
３  取手
４  土台
【図１】
0003135706.tif 000003
【図２】
0003135706.tif 000004
【図３】
0003135706.tif 000005
(57)【要約】【課題】  身体の不自由な人や寝たきりの人が身体を横にしたいとき、起き上がりたいときなど自分の意思により自由に身体の位置を動かすことができるようにする。【解決手段】ベッド本体に取り付けた板に空気袋を貼り付け空気を吹き込み、エアー袋の膨張力を利用して患者を持ち上げ、看護人の作業を容易にし、エアーの送り込みにより目的により自由に身体の位置が変えられる。【選択図】図１
0003135704.tif 000002
【実用新案登録請求の範囲】
【請求項１】
空気圧を利用した起き上がり看護用ベッドにおいて
（イ）（１）の本体に設けた（２）の盤板にエアーの空気袋を貼り付け（３）のエアー袋に空気を吹き込み（３）のエアー袋を膨張してその圧力を利用し患者を持ち上げ看護人の作業を容易にする。
（ロ）（４）は空気をエアー袋に挿入するエアホース、（５）はエアーを送るコンプレッサーで小型の電動式であり、各自のエアーの送り込みにより身体の起き上がりの目的にあわせ自由に身体の位置が変えられる。
（ハ）（２）の盤板の上には身体を保護する役目の（７）の布製の敷物が敷いてある（８）は患者の床ズレの予防のためゴム製のラバクッションである
上記（イ）（ロ）（ハ）の構成よりなる看護用起き上がりベッド。
【考案の詳細な説明】
【技術分野】
【０００１】  本考案は、エアーを利用した身体の不自由な人のために考案した看護用ベッドに関する。
【背景技術】
【０００２】  従来のベッドは鉄パイプ製のもの起き上がり用が多く身体を横にするものがなく左右に身体を動かすのに苦労した。看護人も身体を動かすのに力が必要であり容易でなかったそれをカバーするように考えたベッドである。
【考案の開示】
【考案が解決しようとする課題】
【０００３】  本考案のエアーベッドは空気圧を利用した簡単な構造であり製作に費用はかからず看護人の労力が少なくて済み便利である。
【課題を解決するための手段】
【０００４】  １、従来からベッドは身体を起こす式はあったが体を横にずらすのはなく同時に横にずらしながら起き上がらせるベッドはなく不便であった。
２、（６）手元スイッチの操作により（５）のコンプレッサーよりエアー袋にエアーを送り空気圧により（３）のエアー袋を膨らませ身体を動かす作用をする。
３、スイッチの指示操作によりコンプレッサーを使い空気圧により身体を動かすので前後左右に自由に身体を動かすことができて、看護人の労力が少なくて済み便利である。
４、（２）の盤板の上には（７）の布製の敷物が敷いてあり、身体を保護する役目の敷物が敷いてある。
【考案の効果】
【０００５】  本考考案のベッドは身体の不自由な人やベッドに寝たきりの人のため身体を横にずらしたいときや起き上がりたいときなど自分の意思により自由に身体が動くようにと考案した作品であり非常に便利である。
【考案を実施するための最良の形態】
【０００６】以下本発明の実施の形態について説明する。
【実施例】  本体ベッドを平坦に置きベッド上に本体のベッドの上に敷物を敷きその上に患者を寝かせてあとは身体の自由意志により上下左右にエアーを送り身体を空気の圧力により自由に動かすのである。
【図面の簡単な説明】
【０００７】
【図１】斜視図
【図２】断面図
【図３】側面図
【図４】起上り側面図
【図５】平面図
【符号の説明】
【０００８】  １    ベッド本体
２    盤板
３    空気袋
４    エアー送風ホース
５    電動式コンプレッサー
６    手元スイッチ
７    布製の敷物
８    床ズレ予防ゴム製クッションスポンジ
【図１】
0003135704.tif 000003
【図２】
0003135704.tif 000004
【図３】
0003135704.tif 000005
【図４】
0003135704.tif 000006
【図５】
0003135704.tif 000007
(57)【要約】【課題】ねじ回しの回転力をしっかりと受けることができ、容易に角がくずれず、変形しない強度を持つねじ頭のねじ回し溝を提供する。【解決手段】ねじ頭１に設置されるねじ回し溝２は、複数の外周の斜め壁２１が設けられ、近接する二個の斜め壁２１の間には凸起３が設置されている。凸起３は、内向きで二個の側面の斜め壁３１と斜め壁３２で形成されている。各側面の斜め壁３１と斜め壁３２は、傾斜角度（垂直線に対する）が外周の斜め壁２１と同じ傾斜角度であるため、ねじ回しの先端を容易にねじ回し溝２に差し込めるほか、しっかりと適合して回り、ねじ回し溝の角が変形しない様にする。【選択図】図１
0003135707.tif 000002
【実用新案登録請求の範囲】
【請求項１】
ねじの頭の表面に設けられるねじ回し溝において、前記ねじ回し溝は複数の外周斜め壁を持ち、相隣する二個の前記斜め壁の間には中心向きの凸起が形成され、前記凸起を形成している複数の各側面壁は外側かつ上方向に傾斜し、傾斜する前記側面壁の垂直線に対する傾斜角度は前記外周斜め壁の垂直線に対する傾斜角度と同じであることを特徴とするねじ頭のねじ回し溝。
【請求項２】
前記凸起は、二側面の斜め壁で形成され、前記各凸起の前記二側面の斜め壁の垂直線に対する傾斜角度は前記外周斜め壁の垂直線に対する傾斜角度と同じで、前記凸起の前記二側面の斜め壁が形成している夾角は鋭角とし、前記夾角の二辺の接する端はカーブ状であることを特徴とする請求項１記載のねじ頭のねじ回し溝。
【請求項３】
前記凸起は、三側面の斜め壁で形成され、前記三側面の斜め壁は梯形を形成し、前記梯形の凸起の前記三側面の斜め壁の垂直線に対する傾斜角度は前記外周斜め壁の垂直線に対する傾斜角度と同じであることを特徴とする請求項１記載のねじ頭のねじ回し溝。
【考案の詳細な説明】
【技術分野】
【０００１】
本考案は、ねじ頭のねじ回し溝に関する。
【背景技術】
【０００２】
一般のねじは、頭の頂面にねじ回しをさしこむ溝があって、その形は一字形、十字形、四角形、六角形等の色々のものがあり、一字形や十字形の溝はねじ回しの回転力を受けて角が壊れたり、変形したりするので、厳格な緊密を必要としない器具などの設置に使用される。しかし、高いねじ付け効果を必要とする器具や機械などには、ねじ回し溝が相当に強い回転力を受けても、容易に変形したり、壊れたりしないものが要求される。
従来のねじは多角形のねじ回し溝を持つものも多くあり、力を受ける複数の壁面を具備しているが、ねじ回しの回転力が比較的大きい場合には、やはり角がくずれたり、ねじ回しの先端が滑り抜けたり、溝が変形したりし、安定して回せないことがよくある。
【考案の開示】
【考案が解決しようとする課題】
【０００３】
本考案は、ねじ頭のねじ回し溝がねじ回しの回転力をしっかりと受けることができ、且つ容易に角がくずれず、変形しない様な強度を持つ構造を提供することを課題とする。
【課題を解決するための手段】
【０００４】
本考案は、ねじ頭に設置されるねじ回し溝として、先ず複数の外周の斜めの壁を設けて、近接する二個の斜めの壁の間には凸起を設置し、この凸起は内向きで二個或いは三個の側面斜め壁で形成される。各側面斜め壁は、傾斜角度（垂直線に対する）に外周の斜め壁と同じ傾斜角度を持たせて、ねじ回しの先端を容易にねじ回し溝に差し込める様にするほか、しっかりと適合して回り、ねじ回し溝の角が変形しない様にする。
【考案を実施するための最良の形態】
【０００５】
本考案の第一実施例または第二実施例によるねじ頭１のねじ回し溝２は、図１と図３に示す様に、ねじ回し溝２の外周の斜め壁２１に複数の内向きの凸起３を等間隔に持たせ、各凸起３は二側面の斜め壁３１と斜め壁３２或いは三側面の斜め壁３１と斜め壁３２と斜め壁３３とで形成される。又、斜め壁３１と斜め壁３２と斜め壁３３は、傾斜角度（垂直線に対する）が外周の斜め壁２１の傾斜角度と同じである。
【０００６】
図１と図２は、本考案の第一実施例によるねじ頭１のねじ回し溝２を示す。ねじ回し溝２は複数の外周の斜め壁２１を持ち、相隣する二個の斜め壁２１の間に内向きの凸起３が設置され、各凸起３は二側面の斜め壁３１と斜め壁３２で形成される。この二側面の斜め壁の傾斜角度（垂直線に対する）は外周の斜め壁２１の傾斜角度（垂直線に対する）と同じにし、且つ凸起３の二側面の斜め壁３１と斜め壁３２の間に形成される夾角Ａは鋭角にして、かつ相接する夾角端３０はカーブ状にしている。
【０００７】
次に、図３と図４は、本考案の第二実施例によるねじ頭１のねじ回し溝２であり、ねじ回し溝２は複数の外周の斜め壁２１を持ち、相接する二面の斜め壁２１の間には内向きの凸起３が設置され、各凸起３は三側面の斜め壁３１と斜め壁３２と斜め壁３３とで形成される。この三側面の斜め壁３１、斜め壁３２、斜め壁３３は梯形を形成し、傾斜角度（垂直線に対する）を斜め壁２１の傾斜角度（垂直線に対する）と同じにしている。
【０００８】
（本考案の効果）
本実施例のねじ回し溝２の凸起３の二側面又は三側面の斜め壁の傾斜角度（垂直線に対する）と外周の斜め壁２１の傾斜角度（垂直線に対する）が同じであるため、ねじ回しの先端が容易にねじ回し溝２にしっかりはまって、ねじ回しが回転されたら、ねじも確実に一緒に回転する。
【図面の簡単な説明】
【０００９】
【図１】本考案の第一実施例によるねじ頭のねじ回し溝を示す上面図である。
【図２】図１を２−２線で切断した断面図である。
【図３】本考案の第二実施例によるねじ頭のねじ回し溝を示す上面図である。
【図４】本考案の第二実施例によるねじ頭のねじ回し溝を示す断面図である。
【符号の説明】
【００１０】
１：ねじ頭、２：ねじ回し溝、３：凸起、２１：斜め壁、３１：斜め壁、３２：斜め壁、３３：斜め壁
【図１】
0003135707.tif 000003
【図２】
0003135707.tif 000004
【図３】
0003135707.tif 000005
【図４】
0003135707.tif 000006
【手続補正書】
【提出日】平成19年7月19日(2007.7.19)
【手続補正１】
【補正対象書類名】実用新案登録請求の範囲
【補正対象項目名】全文
【補正方法】変更
【補正の内容】
【実用新案登録請求の範囲】
【請求項１】
ねじにおいて、ねじの頭の表面に設けられるねじ回し溝は複数の外周斜め壁を持ち、相隣する二個の前記斜め壁の間には中心向きの凸起が形成され、前記凸起を形成している複数の各側面壁は外側かつ上方向に傾斜し、傾斜する前記側面壁の垂直線に対する傾斜角度は前記外周斜め壁の垂直線に対する傾斜角度と同じであることを特徴とするねじ。
【請求項２】
前記凸起は、二側面の斜め壁で形成され、前記各凸起の前記二側面の斜め壁の垂直線に
対する傾斜角度は前記外周斜め壁の垂直線に対する傾斜角度と同じで、前記凸起の前記二
側面の斜め壁が形成している夾角は鋭角とし、前記夾角の二辺の接する端はカーブ状であ
ることを特徴とする請求項１記載のねじ。
【請求項３】
前記凸起は、三側面の斜め壁で形成され、前記三側面の斜め壁は梯形を形成し、前記梯
形の凸起の前記三側面の斜め壁の垂直線に対する傾斜角度は前記外周斜め壁の垂直線に対
する傾斜角度と同じであることを特徴とする請求項１記載のねじ。
(57)【要約】【課題】  カッターナイフの使用にあたり、簡単な機構でありながら平行に、又、正確にカット出来る２枚刃カッターナイフを提供する。【解決手段】  カッターナイフ（３）のカッター刃（１）を２枚重ね、重ねたその間に仕切り板（２）を設けた。【選択図】図１
0003135703.tif 000002
【実用新案登録請求の範囲】
【請求項１】
カッターナイフのカッター刃を２枚重ねて、その２枚重ねたカッター刃の間に仕切り板を設け、カッターナイフに、取りつけた２枚刃カッターナイフ。
【考案の詳細な説明】
【技術分野】
【０００１】  本考案は、紙やシートなどの切断に用いられるカッターナイフの、カッター刃に関するものである。
【背景技術】
【０００２】  一般にこの種のカッターナイフのカッター刃は、１枚の刃でカットするようになっている、平行にカットする時は２回以上移動してカットしなければならないし、正確に平行なカットをする事が出来ない。
【考案が解決しようとする課題】
【０００３】  本考案は以上の実情に鑑みて開発したものであって、目的とするところは、簡単な機構で平行に又、正確にカット出来るカッター刃を提供することにある。
【問題を解決するための手段】
【０００４】  前記した目的を達成するために、請求項１に記載の発明は、カッターナイフにカッター刃を２枚重ねて、重ねた２枚刃の間に仕切り板を設け、刃と刃の間を確保し、２枚の刃で同時にカットする事で平行及び、正確にカットが出来ることを特徴とする。
【考案の効果】
【０００５】  カッターナイフの使用で、紙やシートに文字や線等を書いて、その文字や線などを切り抜く時に本考案の２枚刃カッターを装着し、カットする事により簡単に且つ、平行に文字や線を切り抜く事が出来、直線だけでなく曲線も平行にカット出来る。又、色々な形のカッター刃も同機構で使用を可能とする。
【考案を実施するための最良の形態】
【０００６】  使用に際しては、カッターナイフ（３）のカッター刃（１）を２枚重ね、重ねたその間に仕切り板（２）を設け、カッターナイフ（３）に取り付ける事により、平行にカットする事が出来る。
【図面の簡単な説明】
【０００７】
【図１】実施形態を示す斜視図。
【図２】実施形態を示す分解斜視図
【符号の説明】
【０００８】    １カッター刃
２仕切り板
３カッターナイフ
【図１】
0003135703.tif 000003
【図２】
0003135703.tif 000004
(57)【要約】【課題】      傘，特に日傘を差す必要がある紫外線の量を容易に判断することのできる傘を提供する。【解決手段】  紫外線反応性インクを塗布した部分を傘の布の留め部，あるいは傘の袋に設けて上記課題を解決する。傘，特に日傘を持参していて，使用する必要な紫外線量かどうかを傘をたたんだまま，あるいは袋に入れたまま，若しくは傘を差している時に紫外線反応性インクを塗布した部分が変色することにより容易に判断できるものである。【選択図】    図１
0003135785.tif 000002
【実用新案登録請求の範囲】
【請求項１】
紫外線反応性インクを塗布した部分を傘の布の留め部に設けた傘
【請求項２】
紫外線反応性インクを塗布した部分を傘の袋に設けた傘
【請求項３】
紫外線反応性インクがＵＶインデックス３〜７（環境省「紫外線保険指導マニュアル」平成１６年４月）で変色するインクである請求項１及び２記載の傘
【考案の詳細な説明】
【技術分野】
【０００１】
この考案は，傘，特に日傘を差す必要があるかどうかを容易に判断できる傘に関するものである。
【背景技術】
【０００２】
従来からの日傘は，紫外線遮断効果やデザイン性を重点として開発されており，その点では現状はほぼ満足される状態である。
【考案の開示】
【考案が解決しようとする課題】
【０００３】
しかしながら，日傘が必要な紫外線量なのかどうかを判断する目安となるものがないため，日傘を差す必要があるのかどうかを的確には判断しにくい状態であった。
【課題を解決するための手段】
【０００４】
この考案は，紫外線反応性インクを塗布した部分を有する傘を提供することにより目的を達するものであり，紫外線反応性インクを塗布した部分を傘の布を結束する留め部に設けた傘，あるいは傘の袋に付して，前記の目的を達することができる。
【考案を実施するための最良の形態】
【０００５】
図１及び２において，１は傘，２は傘１の布であり，通常の日傘と同様の構造を有するものである。３は傘を閉じた時に布２を結束するための留め部であり，その全部又は１部分に紫外線反応性インクを塗布した部分４が設けてある。
【０００６】
図３は折りたたみ傘を折りたたんだ場合を示すもので，同様に折りたたんだ布２を結束するための留め部３に紫外線反応インクを塗布した部分４が存する。
【０００７】
図４は折りたたみ傘が袋５に入った状態を示すもので，袋５に紫外線反応性インクを塗布した部分４が付されている。この場合，袋５自体の一部分に紫外線反応性インクを塗布しても良く，塗布した布を付しても良い。
【０００８】
本考案に用いる紫外線反応性インクとしては，紫外線により可逆的に変色可能である色素，好ましくはＵＶインデックス３〜４の紫外線量で変色するインク（出展：平成１６年４月  環境省「紫外線保険指導マニュアル」）を用いる。
【０００９】
本考案は傘，特に日傘を持参していて，使用する必要な紫外線量かどうかを傘をたたんだまま，あるいは袋に入れたまま，若しくは傘を差している時に紫外線反応性インクを塗布した部分が変色することにより容易に判断できるものであり，従来にない機能を持つ傘を提供することができるものである。
【図面の簡単な説明】
【００１０】
【図１】傘を開いた状態の斜視図
【図２】傘を閉じた状態の側面図
【図３】折りたたみ傘の側面図
【図４】袋に入った折りたたみ傘の側面図
【符号の説明】
【００１１】
１・・・傘
２・・・傘の布
３・・・留め部
４・・・紫外線反応性インクを塗布した部分
５・・・傘の袋
【図１】
0003135785.tif 000003
【図２】
0003135785.tif 000004
【図３】
0003135785.tif 000005
【図４】
0003135785.tif 000006
(57)【要約】【課題】柵棒のロックを外し、柵棒を、振子式に、左右に回動させるための重りの役目を果たしている補助枠の上下隅が枠体からはみ出さなように構成した振子式スタンチョンの提供【解決手段】この考案の振子式スタンチョンは、くの字状の柵棒１の屈曲部に設けた回転軸点ａを支点として、左右に回動可能であり、常時、自重によって前記くの字状の柵棒１の上辺ｂ側に倒れ傾斜し、下部に家畜が首部を押し当てると、直立し、ロックされる柵棒２から成るスタンチョンにおいて、前記ロックを解除し、前記柵棒２に取り付け、重りの役目を果たしている補助枠３が左右に回動したとき、該補助枠３の上隅４と下隅５が枠体６からはみ出ないように構成している。 【選択図】 図１
0003135759.tif 000002
【実用新案登録請求の範囲】
【請求項１】
くの字状の柵棒（１）の屈曲部に設けた回転軸点（ａ）を支点として、左右に回動可能であり、常時、自重によって前記くの字状の柵棒（１）の上辺（ｂ）側に倒れ傾斜し、下部に家畜が首部を押し当てると、直立し、ロックされる柵棒（２）から成るスタンチョンにおいて、前記ロックを解除し、前記柵棒（２）に取り付け、重りの役目を果たしている補助枠（３）が左右に回動したとき、該補助枠（３）の上隅（４）と下隅（５）が枠体（６）からはみ出ないように構成したことを特徴とする振子式スタンチョン
【考案の詳細な説明】
【技術分野】
【０００１】
本考案は振子式スタンチョンに関するものである。
【背景技術】
【０００２】
この考案は出願人が発明し、すでに特許（特許第３５４８１７４号）を取得しているスタンチョンの改良に係るものである。夜半は家畜が餌を食べやすいように、柵棒のロックを外しているが、柵棒に取り付け、柵棒を左右に回動させる重りの役目を果たしている補助枠が枠体からはみ出し、枠体複数個を連結用の支柱にシリーズに連結するとき、補助枠のはみ出した部分が邪魔になり、連結し難いという問題点があった。
【０００３】
【特許文献１】特許第３５４８１７４号公報
【考案の開示】
【考案が解決しようとする課題】
【０００４】
この考案は、背景技術で記述した問題点を解消するためになされたもので、柵棒のロックを外し、柵棒を、振子式に、左右に回動させるための重りの役目を果たしている補助枠の上下隅が枠体からはみ出さなように構成した振子式スタンチョンの提供を目的とするものである。
【課題を解決するための手段】
【０００５】
この考案の振子式スタンチョンは、くの字状の柵棒の屈曲部に設けた回転軸点を支点として、左右に回動可能であり、常時、自重によって前記くの字状の柵棒の上辺側に倒れ傾斜し、下部に家畜が首部を押し当てると、直立し、ロックされる柵棒から成るスタンチョンにおいて、前記ロックを解除し、前記柵棒に取り付け、重りの役目を果たしている補助枠が左右に回動したとき、該補助枠の上隅と下隅が枠体からはみ出ないように構成したことを特徴とするものである。
【考案の効果】
【０００６】
この考案は上述のように構成されているので、次のような効果を呈する。
枠体複数個を連結用の支柱にシリーズに連結するとき、補助枠が枠体からはみ出さないので、連結が容易になった。
【考案を実施するための最良の形態】
【０００７】
柵棒のロックを外し、柵棒を、振子式に、左右に回動させるための重りの役目を果たしている補助枠の上下隅が枠体からはみ出さなように構成した振子式スタンチョンの提供という目的を、補助枠の上下隅を内側に折り曲げることにより実現できた。
【実施例】
【０００８】
この考案の実施の一例を図面を参照しながら説明する。図１〜図２に示すように、この考案の振子式スタンチョンは、くの字状の柵棒１の屈曲部に設けた回転軸点ａを支点として、左右に回動可能であり、常時、自重によって前記くの字状の柵棒１の上辺ｂ側に倒れ傾斜し、下部に家畜が首部を押し当てると、直立し、ロックされる柵棒２から成るスタンチョンにおいて、前記ロックを解除し、前記柵棒２に取り付け、重りの役目を果たしている補助枠３が左右に回動したとき、該補助枠３の上隅４と下隅５が枠体６からはみ出ないように構成している。
【０００９】
なお、図１は、柵棒２が、柵棒１の上辺ｂ側に倒れ傾斜し、家畜は空間Ａに首を突き込むことができる状態を示している。
【００１０】
図２は、 図１において、家畜が餌を食べようと、首を下げ、柵棒２を押し広げた状態を示している。
【００１１】
図１の状態において、補助枠３の上隅４が枠体６からはみ出ないように構成している。図２の状態において、補助枠３の下隅５が枠体６からはみ出ないように構成している。
【００１２】
図３は、昼間などの平常のときで、柵棒２がロックされる状態を示しており、ロックされると、柵棒２は直立状態になる。
【産業上の利用可能性】
【００１３】
構造が簡単で、組み立ても容易であり、小規模な酪農家のスタンチョンとしても利用が可能である。
【図面の簡単な説明】
【００１４】
【図１】柵棒２がロック状態にない本考案の一実施例を示す正面図
【図２】柵棒２がロック状態にない本考案の一実施例を示す正面図
【図３】柵棒２がロック状態にある本考案の一実施例を示す正面図
【符号の説明】
【００１５】
１  くの字状の柵棒
２  常時、自重によってくの字状の柵棒１の上辺ｂ側に倒れ傾斜し、下部に家畜が首部を押し当てると、直立し、ロックされる柵棒
３  補助枠
４  補助枠の上隅
５  補助枠の下隅 
６  枠体
ａ  回転軸点
ｂ  くの字状の柵棒１の上辺
Ａ  空間
【図１】
0003135759.tif 000003
【図２】
0003135759.tif 000004
【図３】
0003135759.tif 000005
(57)【要約】      （修正有） 【課題】特につぼ「迎香」及び「人中」その他のつぼの治療に適する治療具を提供する。【解決手段】一対のアーム１，１を設け、その基端部を該アーム１，１が開閉可能となるように軸連結２し、該アーム１，１の先端にアームの先方に突出する形状のつぼ当て用突起部３，３を設けてなるものである。【選択図】図２
0003135757.tif 000002
【実用新案登録請求の範囲】
【請求項１】
一対のアームを設け、その基端部を該アームが開閉可能となるように軸連結し、該アームの先端にアームの先方に突出する形状のつぼ当て用突起部を設けてなるつぼ当て治療具。
【請求項２】
上記アームをチタン製とし、上記つぼ当て用突起部を金メッキしてある上記請求項１に記載のつぼ当て治療具。
【請求項３】
上記アームの長さを６〜１０ｃｍ程にしてある上記請求項１又は２に記載のつぼ当て治療具。
【考案の詳細な説明】
【技術分野】
【０００１】
本考案は、特に人の顔の鼻の両横にあるつぼ「迎香」及び鼻の下にあるつぼ「人中」その他のつぼに当ててつぼ治療するのに適するつぼ当て治療具に関する。
【背景技術】
【０００２】
人の顔の鼻の両横にあるつぼ「迎香」は、ここを押すと鼻づまり現象がなくなったり、臭覚麻痺症状の改善効果があったりするし、また、鼻の下にあるつぼ「人中」は、ここを押すとホルモンの分泌がよくなったり、内臓系の不調をなくしたりあるいはくしゃみ改善の効果があることが知られている。
このつぼ「迎香」及び「人中」のつぼ治療は、一般的には治療する人がその手指で押して行っているのが現状である。
【考案の開示】
【考案が解決しようとする課題】
【０００３】
このつぼ治療に適する治療具の出現が望まれている。
本考案は、特につぼ「迎香」及び「人中」その他のつぼの治療に適する治療具を提供するものである。
【課題を解決するための手段】
【０００４】
そのために、本考案つぼ当て治療具は、一対のアームを設け、その基端部を該アームが開閉可能となるように軸連結し、該アームの先端にアームの先方に突出する形状のつぼ当て用突起部を設けてなるものである。
上記アームをチタン製とし、上記つぼ当て用突起部を金メッキしてあると好ましい。
上記アームの長さを６〜１０ｃｍ程にしてある。
【考案の効果】
【０００５】
本考案のつぼ当て治療具は、一対のアームを設け、その基端部を該アームが開閉可能となるように軸連結し、該アームの先端にアームの先方に突出する形状のつぼ当て用突起部を設けてなるものであるから、一対のアームを開放して、アームの先端のつぼ当て用突起を人の顔のつぼ「迎香」に当てて押すことにより、簡単な治療具を使用してつぼ治療が行える効果がある。また、１本のアームの先端のつぼ当て用突起部をつぼ「人中」その他のつぼに当てて押すことにより、簡単につぼ治療ができる効果がある。
【０００６】
上記アームをチタン製とし、上記つぼ当て用突起部を金メッキしてあるから、治療具を軽量にし、導電性をよくし、金属アレルギー予防の治療効果をあげる利点がある。
さらに、上記アームの長さを６〜１０ｃｍ程にしてあるから、治療具を操作し易い長さにした効果がある。
【考案を実施するための最良の形態】
【０００７】
図面に示した実施例により本考案つぼ当て治療具を説明する。
図中符号１，１が一対のチタン製のアームで、その長さは６〜１０ｃｍ程であり、好ましくは７ｃｍ程にするとよい。このアーム１，１はその基端部で軸２により軸連結してあり、開閉可能にしてある。図示する通り、このアーム１，１を閉じた際には、全体で円柱状となるようにすることが望ましく、その直径を１ｃｍ程とすることがいい。従ってそれぞれのアーム１，１は図２に示すように断面が半円形状となる。
このそれぞれのアーム１，１の先端をアームの先方に突出する形状のつぼ当て用突起部３，３に形成してあり、しかも、このつぼ当て用突起部３，３を金メッキしてある。
【０００８】
このように構成した本考案つぼ当て治療具を用いれば、次のようなつぼ治療ができる。例えば、一対のアーム１，１を閉じた状態でつぼ当て用突起部３をつぼ「人中」その他のつぼに当てて押すことによりつぼ治療ができる。また一対のアーム１，１を開いた状態にして、その１本のアーム１の先端のつぼ当て用突起３をつぼ「人中」その他のつぼに当てて押すことによりつぼ治療ができる。
また、この一対のアーム１，１を開いて、その先端のつぼ当て用突起部３，３をつぼ「迎香」に当るように調節し、つぼ当て用突起部３，３をつぼ「迎香」に当てて押すことにより、つぼ「迎香」のつぼ治療をすることができる
【図面の簡単な説明】
【０００９】
【図１】本考案つぼ当て治療具を閉じた状態の斜面図。
【図２】同じくつぼ当て治療具を開いた状態の斜面図。
【符号の説明】
【００１０】
１    アーム
２    軸
３    つぼ当て用突起部
【図１】
0003135757.tif 000003
【図２】
0003135757.tif 000004
(57)【要約】      （修正有）【課題】嵩のある被収容物でも無理なく収容でき、封止も容易な滅菌バッグを実現する。【解決手段】ガス透過性を有する基材１０と合成樹脂製のフィルム１を、頂辺を開口部Ｅとして残して、残りの両側辺と底辺の３辺を貼り合わせて製袋される滅菌バッグにおいて、フィルムを基材に貼り合わせるに際し、フィルムの頂辺と対向する方向に山折り及び谷折りすることにより設けられる複数箇所の襠部２を設けることにより、上記襠部に挟まれる箇所を拡縮自在とする。【選択図】図３
0003135747.tif 000002
【実用新案登録請求の範囲】
【請求項１】
ガス透過性を有する基材と合成樹脂製のフィルムを、頂辺を開口部として残して、残りの両側辺と底辺の３辺を貼り合わせて製袋される滅菌バッグにおいて、フィルムを基材に貼り合わせるに際し、フィルムの頂辺と対向する方向に複数箇所の襠部を設けることにより、上記襠部に挟まれる箇所を拡縮自在としたことを特徴とする滅菌バッグ。
【請求項２】
襠部は頂辺と平行にフィルムを山折り及び谷折りすることにより設けられる請求項１記載の滅菌バッグ。
【考案の詳細な説明】
【技術分野】
【０００１】
この考案は、例えば医療用具や医療器具などを収容して滅菌処理を施すための滅菌バッグに関する。
【背景技術】
【０００２】
医療用具や医療器具などの滅菌処理に際し、これらを内部に収容してヒートシールなどにより封止し、高温の蒸気、エチレンオキサイドガス、過酸化水素プラズマなどの滅菌環境下にさらす滅菌バッグが医療現場で使用されている。
【０００３】
そして、この種のバッグとしては、ガス透過性を有する基材と合成樹脂製のフィルムを、頂辺を開口部として残して、残りの両側辺と底辺の３辺を貼り合わせて製袋されるものが公知である（例えば特許文献１）。
【０００４】
【特許文献１】特開２００４−１２１８３８号公報
【特許文献２】特開２００２−１５４５５４号公報
【考案の開示】
【考案が解決しようとする課題】
【０００５】
ところで、被収容物である医療用具や医療器具などの中には大型の鉗子やピンセット、挟みなどの比較的嵩があるものもあり、一方、一度に複数の被収容物を収容を望む需要もあり、単に２枚のシートを貼り合わせた従来技術のバッグでは平面的にすぎ、内容積を確保できない問題があった。
【０００６】
一方、これに対して、図５に示すように両側辺を折り込んで襠部２１、２１としたガゼット状のバッグ２１も提案されている（特許文献２）。しかしながら、上記従来技術のバッグにおいては、開口部２２の両端にシートが都合４枚重ねとなる襠部２１、２１が存するので封止する際にヒートシールを行いにくい問題があった。また、例えば先端が上方に湾曲した鉗子など、嵩のある被収容物を収容した場合はバッグの中央部のみが拡大するので、襠部２１、２１が２２に向かって皺状に歪んでヒートシールの妨げとなる問題もあった。
【課題を解決するための手段】
【０００７】
この考案は以上の従来技術の問題点を解消した滅菌バッグを提供することを目的として創作されたものであり、ガス透過性を有する基材と合成樹脂製のフィルムを、頂辺を開口部として残して、残りの両側辺と底辺の３辺を貼り合わせて製袋される滅菌バッグにおいて、フィルムを基材に貼り合わせるに際し、フィルムの頂辺と対向する方向に複数箇所の襠部を設けることにより、上記襠部に挟まれる箇所を拡縮自在としたことを特徴とする。
【考案の効果】
【０００８】
よって、この考案によれば、バッグ中の襠部に挟まれる箇所は畳んであった襠部が展開することにより拡がって内容積が拡大するので、必要により襠部を展開することにより大型の鉗子やピンセット、挟みなどの嵩がある被収容物も無理なく収容することが可能となる。
【０００９】
この場合、襠部は開口となるフィルムの頂辺と対向する方向に設けられるので、襠部がバッグの開口にかかることがなく、ヒートシールの妨げとなる事態が防止される。
【００１０】
また、襠部同士の間隔を調整することにより被収容物も収容する空間の大きさを自在に調整でき、一方、襠部の幅を調整することにより拡縮寸法を自在に調整できるので被収容物の大きさに合わせた収容空間を設定することが可能となる。その結果、無用の空間が生じることにより、バッグ内で被収容物が遊動して鋭利な部分によりバッグを傷つけるおそれがなくなる。
【考案を実施するための最良の形態】
【００１１】
以下、この考案の具体的実施例を添付図面に基づいて説明する。図１はこの考案の滅菌バッグの貼り合わせ前の状態を示す図である。図中符号１０は基材であり、ガス透過性を有する素材によりシート状に構成される。上記素材の具体例としては紙（滅菌紙) 、ポリエステル、ポリプロピレン、ポリエチレン、ナイロンなどからなる合成樹脂製不織布、セルロースと樹脂からなる不織布などが挙げられるが、これらに限定されないことは勿論である。
【００１２】
図中符号１はフィルムであり、合成樹脂製のものが採用される。上記フィルムはヒートシールにより前記の基材１０と貼り合わせ可能なものが採用されるものであり、素材の具体例としては熱融着性を有する合成樹脂であるポリオレフィン（ＰＥ、ＰＰなど）の他、熱融着性を有する合成樹脂と熱融着性を有しない合成樹脂の複合品などが挙げられるが、これらに限定されないことは勿論である。
【００１３】
以上の基材１０とフィルム１は頂辺を開口部Ｅとして残して、残りの両側辺と底辺の３辺をそれぞれヒートシールＳ２、Ｓ２とＳ１により貼り合わせて製袋されるが（図２参照）、それに先立ちフィルムの頂辺と対向する方向に複数箇所（ここでは２箇所）の襠部２、２が設けられる。ここでは襠部２は頂辺と平行にフィルム１を山折り２Ｂ及び谷折り２Ａすることにより設けられるが、折り数はこれに限られず、これより多くてもよいことは勿論である。
【００１４】
前記の場合、襠部２の数、間隔及び襠部の幅は収容を予定する被収容物Ｇに応じて任意に設定される。
【００１５】
以上の構成よりなるこの考案の滅菌バッグＢは、開口部Ｅを開いて被収容物Ｇを基材１０とフィルム１の間に挿入し（図３）、さらに襠部２、２に挟まれる空間に移動させてそれを拡げた後、開口部ＥをヒートシールＳ３により封止することにより使用に供される。
【図面の簡単な説明】
【００１６】
【図１】この考案の滅菌バッグの貼り合わせ前の状態を示す斜視図。
【図２】この考案の滅菌バッグの斜視図。
【図３】同上、使用状態の斜視図。
【図４】同上、使用状態の斜視図。
【図５】従来技術の滅菌バッグの斜視図。
【符号の説明】
【００１７】
１              フィルム
２              襠部
１０            基材
【図１】
0003135747.tif 000003
【図２】
0003135747.tif 000004
【図３】
0003135747.tif 000005
【図４】
0003135747.tif 000006
【図５】
0003135747.tif 000007